(57)【要約】【課題】油圧加工機械の劣化の傾向を判断し得る情報を表示することができる、油圧加工システム、検査方法、および、油圧加工機械検査用コンピュータプログラムを提供する。【解決手段】油圧加工システム１の処理装置２１０は、検査項目を検査するための所定の駆動モードで駆動させている油圧加工機械１００の状態をセンサ１７０に出力させる。そして、処理装置２１０は、複数の検査項目毎に、センサ１７０が出力したデータを、検査項目の検査に使用可能な検査データに変換する。得られた複数の検査データをセンサの出力日に対応されてまとめたデータセットを作成し、データセットをストレージ２２０（第１の記憶装置）に記憶させる。処理装置２１０は、ストレージ２２０に記憶されている過去に作成されたデータセットと直近に作成したデータセットとの両方を第１の表示装置２３０に表示させる。【選択図】  図２
2019107690.tif 000002
【特許請求の範囲】
【請求項１】
駆動オイルの油圧により加工材料を加圧する油圧加工を行う油圧加工機械を備え、当該油圧加工機械を前もって設定された複数の検査項目にて検査することが可能とされた油圧加工システムであって、
前記油圧加工機械の状態を計測するセンサと、
前記検査項目を検査するための所定の駆動モードで前記油圧加工機械を駆動させる駆動処理を行うことが可能な処理装置と、
前記処理装置からの出力を記憶する第１の記憶装置と、
前記処理装置からの出力を表示する第１の表示装置と、
を備え、
前記処理装置は、
前記駆動処理が行われている状態において、前記センサの出力を取得するセンサ検出処理と、
前記センサの出力を前記検査項目の検査に使用可能なデータである検査データに変換する変換処理と、
前記変換処理の対象となる前記センサの出力が行われた出力日を得て、当該出力日と前記検査データとを対応付ける出力日対応付け処理と、
複数の前記検査項目のそれぞれに対して前記変換処理および前記出力日対応付け処理を行い、複数の前記検査データが同一の前記出力日に対応されてまとめられたデータセットを作成するデータセット作成処理と、
前記データセット作成処理で作成された前記データセットを前記第１の記憶装置に出力する第１の出力処理と、
前記第１の記憶装置に記憶されている前記データセットの中から、前記出力日が所定の条件に合致する前記データセットを検索して取得するデータセット取得処理と、
直近に実行された前記データセット作成処理で作成された前記データセット、および、直近に実行された前記データセット取得処理で取得された前記データセットの両方を、前記第１の表示装置に出力する第２の出力処理と、
を含む検査項目表示処理を実行する、
油圧加工システム。
【請求項２】
請求項１に記載された油圧加工システムであって、
前記第１の表示装置は、前記処理装置から出力される複数の前記データセットを、これらの前記データセットが対応する前記出力日の時間順に並んだ状態で表示する、
油圧加工システム。
【請求項３】
請求項１または請求項２に記載された油圧加工システムであって、
前記油圧加工機械は、前記加工材料に圧力を加える加圧部を備え、
前記検査データが、前記加圧部の状態に対応するデータを含むものである、
油圧加工システム。
【請求項４】
請求項１ないし請求項３のうちのいずれか１項に記載された油圧加工システムであって、
前記油圧加工機械は、前記駆動オイルが流通されるオイル通路を備え、
前記検査データが、前記オイル通路内の前記駆動オイルの性状に対応するデータを含むものである、
油圧加工システム。
【請求項５】
請求項１ないし請求項４のうちのいずれか１項に記載された油圧加工システムであって、
前記第１の記憶装置は、前記油圧加工機械が新品の状態または整備直後の状態のいずれかの状態にあるときに前記データセット作成処理にて作成された前記データセットを基準データセットとして記憶し、
前記処理装置は、前記検査項目表示処理において、前記第１の記憶装置から前記基準データセットを取得し、当該基準データセットを前記第１の表示装置に出力する第３の出力処理を実行する、
油圧加工システム。
【請求項６】
請求項１ないし請求項５のうちのいずれか１項に記載された油圧加工システムであって、
前記処理装置は、前記検査項目表示処理を、前もって設定された所定の時間間隔で繰り返し実行する、
油圧加工システム。
【請求項７】
請求項１ないし請求項６のうちのいずれか１項に記載された油圧加工システムであって、
前記処理装置は、前記第２の出力処理において、前記各データセットを、それらの前記各検査データが所定の基準範囲に含まれるか否かを示す付加情報が付加された状態で前記第１の表示装置に出力し、
前記第１の表示装置は、前記検査データが前記基準範囲に含まれない旨の前記付加情報が付加された前記データセットを、前記検査データが前記基準範囲に含まれる旨の前記付加情報が付加された前記データセットからの識別が可能な態様で表示する、
油圧加工システム。
【請求項８】
請求項１ないし請求項７のうちのいずれか１項に記載された油圧加工システムであって、
前記データセットを記憶する第２の記憶装置と、前記データセットを表示する第２の表示装置とを有する情報管理装置を備え、
前記処理装置および前記情報管理装置は、それぞれコンピュータ・ネットワークに接続され、
前記処理装置は、前記コンピュータ・ネットワーク経由で前記データセットを前記情報管理装置に宛てて送信し、
前記情報管理装置は、前記処理装置から送信された前記データセットを前記第２の記憶装置に記憶させる管理記憶処理と、前記第２の記憶装置が記憶している前記データセットを前記第２の表示装置に表示させる管理表示処理とを行う、油圧加工システム。
【請求項９】
請求項８に記載された油圧加工システムであって、
１台の前記油圧加工機械に前記センサおよび前記処理装置が対応付けられたユニットを複数備え、
前記各ユニットに備えられた前記処理装置は、それぞれが同一の前記情報管理装置に宛てて出力をすることが可能とされ、
前記情報管理装置は、前記管理記憶処理において、複数の前記処理装置からの出力を、この出力を行っている前記処理装置が属する前記ユニットの情報と一緒に前記第２の記憶装置に記録させ、
前記管理表示処理において、前記データセットを、当該データセットと一緒に前記第２の記憶装置に記憶された前記情報の識別が可能な態様で前記第２の表示装置に表示させる、
油圧加工システム。
【請求項１０】
駆動オイルの油圧により加工材料を加圧する油圧加工を行う油圧加工機械を、前もって設定された複数の検査項目にて検査する、油圧加工機械の検査方法であって、
前記検査項目を検査するための所定の駆動モードで前記油圧加工機械を駆動させる駆動処理と、
前記駆動処理が行われている状態の前記油圧加工機械をセンサで計測して、この計測結果を前記検査項目の検査に使用可能なデータである検査データに変換する変換処理と、
前記変換処理の対象となる前記センサの計測が行われた計測日を得て、当該計測日と前記検査データとを対応付ける計測日対応付け処理と、
複数の前記検査項目のそれぞれに対して前記変換処理および前記計測日対応付け処理を行い、複数の前記検査データが同一の前記計測日に対応されてまとめられたデータセットを作成するデータセット作成処理と、
直近に実行された前記データセット作成処理で作成された前記データセットを、当該データセットよりも前に作成された前記データセットと対比して前記油圧加工機械を検査する検査処理と、
を含む複数の処理を実行する、
油圧加工機械の検査方法。
【請求項１１】
駆動オイルの油圧により加工材料を加圧する油圧加工を行う油圧加工機械に、当該油圧加工機械の状態を計測するセンサと、表示装置を有するコンピュータとが付設された油圧加工システムに対して、前記油圧加工機械を前もって設定された複数の検査項目にて検査することが可能な状態にする処理を、前記コンピュータに実行させる油圧加工機械検査用コンピュータプログラムであって、
前記コンピュータに、
前記検査項目を検査するための所定の駆動モードで前記油圧加工機械を駆動させる駆動処理と、
前記駆動処理が行われている状態において前記センサの出力を取得する取得処理と、
前記センサの出力を前記検査項目の検査に使用可能なデータである検査データに変換する変換処理と、
前記変換処理の対象となる前記センサの出力が行われた出力日を得て、当該出力日と前記検査データとを対応付ける出力日対応付け処理と、
複数の前記検査項目のそれぞれに対して前記変換処理および前記出力日対応付け処理を行い、複数の前記検査データが同一の前記出力日に対応されてまとめられたデータセットを作成するデータセット作成処理と、
前記データセット作成処理で作成された前記データセットを記憶する記憶処理と、
前記記憶処理において記憶されたデータの中から、前記出力日が所定の条件に合致する前記データセットを検索して取得するデータセット取得処理と、
直近に実行された前記データセット作成処理で作成された前記データセット、および、直近に実行された前記データセット取得処理で取得された前記データセットの両方を、前記表示装置にて表示する表示処理と、
を含む複数の処理を実行させる、
油圧加工機械検査用コンピュータプログラム。
【発明の詳細な説明】
【技術分野】
【０００１】
本発明は、油圧加工機械を複数の検査項目にて検査する処理が可能な油圧加工システム、ならびに、上記油圧加工機械の検査方法、および、上記処理をコンピュータに実行させるプログラムに関する。
【背景技術】
【０００２】
一般的に、油圧加工機械は、加工材料を加圧加工するために、駆動オイルの油圧によりピストンを移動させるシリンダと、ピストンに取り付けられたスライドとを有する加圧部を備えている。加圧部のスライドには、加工材料を加圧するための金型が一体に取り付けられる。油圧加工機械による加圧加工では、駆動オイルの油圧によりピストンを移動させることで、スライドと金型とを移動させて、加工材料に圧力をかける操作が行われる。この操作においては、加工材料にかかる圧力を高い精度で制御するために、スライドの移動速度や移動位置を高い精度で制御する必要がある。スライドの移動速度や移動位置を高い精度で制御できない場合は、所望の油圧加工を行うことができないおそれがある。
【０００３】
そこで、スライドの移動速度や移動位置を充分高い精度で制御できるか否かの検査に使用可能な技術が提案されている（例えば、特許文献１を参照）。特許文献１に記載の技術では、スライドを移動させている時に、スライドを急停止させる処理を開始し、この処理を開始してからスライドが停止するまでの間において、スライドの移動距離である慣性下降値と、経過時間である急停止時間とを高い精度で計測することができる。そして、特許文献１に記載の技術を用いて、慣性下降値および急停止時間を計測した結果、慣性下降値もしくは急停止時間に異常がみられるときは、油圧加工機械をメンテナンスする必要があると判断することができる。
【先行技術文献】
【特許文献】
【０００４】
【特許文献１】特公平２−４４３６４号公報
【発明の概要】
【発明が解決しようとする課題】
【０００５】
しかし、特許文献１に記載の技術を用いて油圧加工機械を検査し、この油圧加工機械をメンテナンスする必要があるか否かを判断できたとしても、油圧加工システムの操作者が、油圧加工機械にメンテナンスがいつ必要となるかを予想できないおそれがあった。すなわち、一般的に、油圧加工機械の各部は次第に劣化し、この劣化が進む速さは、油圧加工機械の作業内容や部位の特性によって変化する。このため、特許文献１に記載の技術を用いてスライドの慣性下降値と急停止時間を検査しても、スライド以外の状態を把握できないため、油圧加工機械の劣化の傾向を判断することは困難である。
【０００６】
本発明は、上述した問題を解決するものとして創案されたものであり、本発明が解決しようとする課題は、油圧加工機械の劣化の傾向を判断し得る情報を表示する油圧加工システムと、油圧加工機械の劣化の傾向を判断し得る検査方法と、コンピュータに油圧加工機械の劣化の傾向を判断し得る情報を表示させる油圧加工機械検査用コンピュータプログラムと、を提供することにある。
【課題を解決するための手段】
【０００７】
本発明の一つの特徴によると、油圧加工システムは、駆動オイルの油圧により加工材料を加圧する油圧加工を行う油圧加工機械を備え、当該油圧加工機械を前もって設定された複数の検査項目にて検査することが可能とされた油圧加工システムであって、前記油圧加工機械の状態を計測するセンサと、前記検査項目を検査するための所定の駆動モードで前記油圧加工機械を駆動させる駆動処理を行うことが可能な処理装置と、前記処理装置からの出力を記憶する第１の記憶装置と、前記処理装置からの出力を表示する第１の表示装置と、を備え、前記処理装置は、前記駆動処理が行われている状態において、前記センサの出力を取得するセンサ検出処理と、前記センサの出力を前記検査項目の検査に使用可能なデータである検査データに変換する変換処理と、前記変換処理の対象となる前記センサの出力が行われた出力日を得て、当該出力日と前記検査データとを対応付ける出力日対応付け処理と、複数の前記検査項目のそれぞれに対して前記変換処理および前記出力日対応付け処理を行い、複数の前記検査データが同一の前記出力日に対応されてまとめられたデータセットを作成するデータセット作成処理と、前記データセット作成処理で作成された前記データセットを前記第１の記憶装置に出力する第１の出力処理と、前記第１の記憶装置に記憶されている前記データセットの中から、前記出力日が所定の条件に合致する前記データセットを検索して取得するデータセット取得処理と、直近に実行された前記データセット作成処理で作成された前記データセット、および、直近に実行された前記データセット取得処理で取得された前記データセットの両方を、前記第１の表示装置に出力する第２の出力処理と、を含む検査項目表示処理を実行する。
【０００８】
従って、処理装置は、検査項目表示処理を実行すると、複数の検査項目それぞれについて、検査に使用可能な検査データを作成する。すなわち、処理装置は、センサ検出処理でセンサが出力した計測値を得た後、変換処理でこの計測値を検査データに変換することで、検査データを得ることができる。そして、処理装置は、複数の検査項目それぞれに関する検査データと、センサが計測値を出力した出力日とを含むデータセットを、データセット作成処理で得る。こうして得られたデータセットは、第１の出力処理で第１の記憶装置に記憶されるため、日時が経つと、第１の記憶装置は過去のデータセットが記憶された状態になる。
【０００９】
そして、処理装置は、データセット取得処理において、第１の記憶装置に記憶されている過去のデータセットのうち、所定の条件に合致するデータセットを取得する。この様に取得した過去のデータセットと、直近に作成されたデータセットとの両方を、第２の出力処理で表示装置に表示する。すなわち、第２の出力処理では、複数の検査項目のそれぞれについて、直近に得られた検査データと、過去に得られた検査データとが、それらの出力日と対応されたデータセットの形で第１の表示装置により表示される。
【００１０】
センサが計測した計測値は、センサ検出処理において、駆動処理により所定の検査項目を検査するための駆動モードで駆動している状態の油圧加工機械に対して、センサに計測された計測値である。従って、同一の検査項目について作成された、直近および過去の検査データは、同一の駆動モードで油圧加工機械が駆動された状態における検査データとなるため、これらの検査データを比較するとき、駆動モードの違いによる検査データへの影響を考慮する必要はない。
【００１１】
さらに、一般的に、油圧加工機械の各部は次第に劣化し、この劣化が進む速さは、油圧加工機械の作業内容や部位の特性によって変化する。従って、油圧加工機械において、比較的急速に劣化が進む部位や、比較的緩やかに劣化が進む部位があると考えられ、劣化が進む速さは各部で一律ではないと考えることができる。そこで、検査項目の数は、１つではなく、複数であるため、油圧加工システムの操作者は、検査項目が１つの場合よりも多くの観点から油圧加工機械の状態を理解し得るだけでなく、複数の検査項目の相関関係を考慮したうえで油圧加工機械の状態を理解し得る。また、第２の出力処理では、直近に得られた検査データだけでなく、過去に得られた検査データをも第１の表示装置に表示することで、油圧加工システムの操作者が、劣化が進む速さを含めた油圧加工機械の状態を把握し得るようになっている。すなわち、油圧加工システムは、油圧加工機械の劣化の傾向を判断し得る情報を表示することができる。
【００１２】
そして、例えば、油圧加工システムの操作者は、油圧加工機械の状態がメンテナンスを早急に行う必要がある状態にまで劣化する前に、油圧加工機械の状態がメンテナンスを近々行う必要のある状態であると判断し得る。仮に、油圧加工機械の状態が、メンテナンスを近々行う必要のある状態であると判断できる場合は、メンテナンスを早急に行う必要があるほど油圧加工機械が劣化していないときでもあると考えることができるため、油圧加工機械が故障する前に、メンテナンス担当者および操作者にとって適切な時にメンテナンスを行い得る。
【００１３】
次に、他の特徴によると、前記第１の表示装置は、前記処理装置から出力される複数の前記データセットを、これらの前記データセットが対応する前記出力日の時間順に並んだ状態で表示することが好ましい。
【００１４】
この場合、第２の出力処理では、複数の検査項目のそれぞれについて、直近に得られた検査データと、過去に得られた検査データとが、それらの出力日と対応されたデータセットの形で表示される。ここで、複数のデータセットが、これらのデータセットが対応する出力日の時間順に並んだ状態で表示されることにより、直近に得られた検査データと、過去に得られた検査データとが、データが得られた時間順に並んだ状態で表示される。その結果、油圧加工システムの操作者は、検査データの経時変化の理解がより容易となり得る。
【００１５】
次に、他の特徴によると、前記油圧加工機械は、前記加工材料に圧力を加える加圧部を備え、前記検査データが、前記加圧部の状態に対応するデータを含むものであることが好ましい。
【００１６】
この場合、検査データが加圧部の状態に対応するデータを含むことにより、第２の出力処理で、加圧部の状態に関する検査データが第１の表示装置により表示されるため、油圧加工システムの操作者は、加圧部の状態を把握し得る。
【００１７】
次に、他の特徴によると、前記油圧加工機械は、前記駆動オイルが流通されるオイル通路を備え、前記検査データが、前記オイル通路内の前記駆動オイルの性状に対応するデータを含むものであることが好ましい。
【００１８】
この場合、検査データに駆動オイルの性状に対応するデータを含むことにより、第２の出力処理で、駆動オイルの性状に関する検査データが第１の表示装置により表示されるため、油圧加工システムの操作者は、駆動オイルの性状を把握し得る。
【００１９】
次に、他の特徴によると、前記第１の記憶装置は、前記油圧加工機械が新品の状態または整備直後の状態のいずれかの状態にあるときに前記データセット作成処理にて作成された前記データセットを基準データセットとして記憶し、前記処理装置は、前記検査項目表示処理において、前記第１の記憶装置から前記基準データセットを取得し、当該基準データセットを前記第１の表示装置に出力する第３の出力処理を実行する、ことが好ましい。
【００２０】
新品の状態または整備直後の状態のいずれかの状態は、油圧加工機械の状態を劣化がない状態と見做すことができる。従って、基準データセットは、油圧加工機械の状態が劣化のない状態におけるデータセットであると考えることができる。そして、第３の出力処理では、基準データセットを表示する。このため、基準データセットに含まれる検査データと、直近に得られた検査データとを比較することで、油圧加工システムの劣化の度合いをより一層容易に把握し得る。
【００２１】
次に、他の特徴によると、前記処理装置は、前記検査項目表示処理を、前もって設定された所定の時間間隔で繰り返し実行する、ことが好ましい。
【００２２】
従って、検査項目表示処理は、所定の時間間隔毎に繰り返し実行されるため、油圧加工機械の状態が大きく劣化した状態となる前に、検査項目表示処理をより確実に実行し得る。その結果、油圧加工システムの操作者は、油圧加工機械の状態がメンテナンスを早急に行う必要がある状態にまで劣化する前に、油圧加工機械の状態がメンテナンスを近々行う必要のある状態か否かをより確実に判断し得る。
【００２３】
次に、他の特徴によると、前記処理装置は、前記第２の出力処理において、前記各データセットを、それらの前記各検査データが所定の基準範囲に含まれるか否かを示す付加情報が付加された状態で前記第１の表示装置に出力し、前記第１の表示装置は、前記検査データが前記基準範囲に含まれない旨の前記付加情報が付加された前記データセットを、前記検査データが前記基準範囲に含まれる旨の前記付加情報が付加された前記データセットからの識別が可能な態様で表示することが好ましい。
【００２４】
従って、第２の出力処理において、第１の表示装置は、各検査データが所定の基準範囲に含まれるか否かを識別可能な態様で表示する。このため、油圧加工システムの操作者は、各検査データが所定の基準範囲に含まれるか否かを容易に識別し、油圧加工機械の状態をより容易に把握し得る。
【００２５】
次に、他の特徴によると、油圧加工システムは、前記データセットを記憶する第２の記憶装置と、前記データセットを表示する第２の表示装置とを有する情報管理装置を備え、前記処理装置および前記情報管理装置は、それぞれコンピュータ・ネットワークに接続され、前記処理装置は、前記コンピュータ・ネットワーク経由で前記データセットを前記情報管理装置に宛てて送信し、前記情報管理装置は、前記処理装置から送信された前記データセットを前記第２の記憶装置に記憶させる管理記憶処理と、前記第２の記憶装置が記憶している前記データセットを前記第２の表示装置に表示させる管理表示処理とを行う、ことが好ましい。
【００２６】
従って、データセットは、管理記憶処理により第２の記憶装置に記憶される。また、データセットは、第１の表示装置だけでなく、管理表示処理により第２の表示装置に表示される。このため、油圧加工システムの操作者だけでなく、情報管理装置の操作者も、油圧加工機械の状態がメンテナンスを近々行う必要のある状態か否かを判断し得る。その結果、この判断がより正確になり得る。
【００２７】
次に、他の特徴によると、油圧加工システムは、１台の前記油圧加工機械に前記センサおよび前記処理装置が対応付けられたユニットを複数備え、前記各ユニットに備えられた前記処理装置は、それぞれが同一の前記情報管理装置に宛てて出力をすることが可能とされ、前記情報管理装置は、前記管理記憶処理において、複数の前記処理装置からの出力を、この出力を行っている前記処理装置が属する前記ユニットの情報と一緒に前記第２の記憶装置に記録させ、前記管理表示処理において、前記データセットを、当該データセットと一緒に前記第２の記憶装置に記憶された前記情報の識別が可能な態様で前記第２の表示装置に表示させる、ことが好ましい。
【００２８】
油圧加工システムは、油圧加工機械を備えるユニットを複数備えており、情報管理装置は、複数のユニットそれぞれの油圧加工機械について、一括して状態を把握することができる。従って、情報管理装置の操作者は、複数の油圧加工機械の状態をより容易に把握できる。さらに、複数の油圧加工機械の検査データを比較することで、油圧加工機械それぞれの状態を把握することができ、それぞれの油圧加工機械にメンテナンスを近々行う必要があるか否かをより確実に判断し得る。
【００２９】
また、本発明における油圧加工機械の検査方法は、駆動オイルの油圧により加工材料を加圧する油圧加工を行う油圧加工機械を、前もって設定された複数の検査項目にて検査する、油圧加工機械の検査方法であって、前記検査項目を検査するための所定の駆動モードで前記油圧加工機械を駆動させる駆動処理と、前記駆動処理が行われている状態の前記油圧加工機械をセンサで計測して、この計測結果を前記検査項目の検査に使用可能なデータである検査データに変換する変換処理と、前記変換処理の対象となる前記センサの計測が行われた計測日を得て、当該計測日と前記検査データとを対応付ける計測日対応付け処理と、複数の前記検査項目のそれぞれに対して前記変換処理および前記計測日対応付け処理を行い、複数の前記検査データが同一の前記計測日に対応されてまとめられたデータセットを作成するデータセット作成処理と、直近に実行された前記データセット作成処理で作成された前記データセットを、当該データセットよりも前に作成された前記データセットと対比して前記油圧加工機械を検査する検査処理と、を含む複数の処理を実行する。
【００３０】
従って、上述した検査方法では、検査を行うと、複数の検査項目それぞれについて、検査に使用可能な検査データを作成する。すなわち、駆動処理により検査項目を検査するための所定の駆動モードで駆動している状態の油圧加工機械をセンサで計測して、この計測結果を検査データに変換する変換処理で、検査データを作成する。そして、上述の検査方法では、複数の検査項目それぞれに関する検査データと、センサの計測が行われた計測日とを含むデータセットを、データセット作成処理で作成する。上述の検査処理では、こうして直近に作成されたデータセットと、過去に作成されたデータセットとを対比して、油圧加工機械を検査する。
【００３１】
ここで、検査項目を検査するための所定の駆動モードで駆動している状態の油圧加工機械をセンサで計測して、この検査結果を、検査データに変換する。従って、同一の検査項目において、直近および過去の検査データは、同一の駆動モードで油圧加工機械が駆動された状態における検査データとなるため、これらの検査データを比較するとき、駆動モードの違いによる検査データへの影響を考慮する必要はない。
【００３２】
さらに、一般的に、油圧加工機械の各部は次第に劣化し、この劣化が進む速さは、油圧加工機械の作業内容や部位の特性によって変化する。このため、油圧加工機械において、比較的急速に劣化が進む部位や、比較的緩やかに劣化が進む部位があると考えられ、劣化が進む速さは各部で一律ではないと考えることができる。そこで、検査項目の数は、１つではなく、複数であるため、検査結果の閲覧者は、検査項目が１つの場合よりも多くの観点から油圧加工機械の状態を把握し得るだけでなく、複数の検査項目の相関関係を考慮したうえで油圧加工機械の状態を把握し得る。また、検査処理では、直近に作成されたデータセットと、過去に作成されたデータセットとを対比して、油圧加工機械を検査することで、検査結果の閲覧者が、劣化が進む速さを含めた油圧加工機械の状態を把握し得るようになっている。換言すれば、上述の検査方法では、油圧加工機械の劣化の傾向を判断し得る。
【００３３】
そして、例えば、油圧加工システムの操作者は、油圧加工機械の状態がメンテナンスを早急に行う必要がある状態にまで劣化する前に、油圧加工機械の状態がメンテナンスを近々行う必要のある状態であると判断し得る。仮に、油圧加工機械の状態が、メンテナンスを近々行う必要のある状態であると判断できる場合は、メンテナンスを早急に行う必要があるほど油圧加工機械が劣化していないときでもあると考えることができるため、油圧加工機械が故障する前に、メンテナンス担当者および操作者にとって適切な時にメンテナンスを行い得る。
【００３４】
また、本発明における油圧加工機械検査用コンピュータプログラムは、駆動オイルの油圧により加工材料を加圧する油圧加工を行う油圧加工機械に、当該油圧加工機械の状態を計測するセンサと、表示装置を有するコンピュータとが付設された油圧加工システムに対して、前記油圧加工機械を前もって設定された複数の検査項目にて検査することが可能な状態にする処理を、前記コンピュータに実行させる油圧加工機械検査用コンピュータプログラムであって、前記コンピュータに、前記検査項目を検査するための所定の駆動モードで前記油圧加工機械を駆動させる駆動処理と、前記駆動処理が行われている状態において前記センサの出力を取得する取得処理と、前記センサの出力を前記検査項目の検査に使用可能なデータである検査データに変換する変換処理と、前記変換処理の対象となる前記センサの出力が行われた出力日を得て、当該出力日と前記検査データとを対応付ける出力日対応付け処理と、複数の前記検査項目のそれぞれに対して前記変換処理および前記出力日対応付け処理を行い、複数の前記検査データが同一の前記出力日に対応されてまとめられたデータセットを作成するデータセット作成処理と、前記データセット作成処理で作成された前記データセットを記憶する記憶処理と、前記記憶処理において記憶されたデータの中から、前記出力日が所定の条件に合致する前記データセットを検索して取得するデータセット取得処理と、直近に実行された前記データセット作成処理で作成された前記データセット、および、直近に実行された前記データセット取得処理で取得された前記データセットの両方を、前記表示装置にて表示する表示処理と、を含む複数の処理を実行させる。
【００３５】
従って、油圧加工機械検査用コンピュータプログラムが実行されたコンピュータは、複数の検査項目のそれぞれに対して、検査に使用可能な検査データを作成する。すなわち、コンピュータは、取得処理でセンサが出力した計測値を得た後、変換処理でこの計測値を検査データに変換することで、検査データを得ることができる。そして、コンピュータは、複数の検査項目それぞれに関する検査データと、センサが計測値を出力した出力日とを含むデータセットを、データセット作成処理で得る。こうして得られたデータセットは、記憶処理でコンピュータに記憶されるため、日時が経つと、過去のデータセットがコンピュータに記憶された状態になる。
【００３６】
そして、コンピュータは、データセット取得処理において、記憶している過去のデータセットのうち、所定の条件に合致するデータセットを取得する。コンピュータは、この様に取得した過去のデータセットと、直近に作成されたデータセットとの両方を、表示処理で表示装置にて表示する。ここで、コンピュータが行う表示処理では、複数の検査項目のそれぞれについて、直近に得られた検査データと、過去に得られた検査データとを、それらの出力日と対応されたデータセットの形で表示装置にて表示する。
【００３７】
コンピュータは、駆動処理により所定の検査項目を検査するための駆動モードで駆動している状態の油圧加工機械に対して、センサが計測した計測値を取得処理で得て、この計測値を変換処理で検査データに変換する。従って、同一の検査項目について作成された、直近および過去の検査データは、同一の駆動モードで油圧加工機械が駆動された状態における検査データとなるため、これらの検査データを比較するとき、駆動モードの違いによる検査データへの影響を考慮する必要はない。
【００３８】
さらに、一般的に、油圧加工機械の各部は次第に劣化し、この劣化が進む速さは、油圧加工機械の作業内容や部位の特性によって変化する。このため、油圧加工機械において、比較的急速に劣化が進む部位や、比較的緩やかに劣化が進む部位があると考えられ、劣化が進む速さは各部で一律ではないと考えることができる。そこで、検査項目の数は、１つではなく、複数であるため、油圧加工システムの操作者は、検査項目が１つの場合よりも多くの観点から油圧加工機械の状態を理解し得るだけでなく、複数の検査項目の相関関係を考慮したうえで油圧加工機械の状態を理解し得る。また、表示処理では、直近に得られた検査データだけでなく、過去に得られた検査データをも表示装置にて表示することで、油圧加工システムの操作者が、劣化が進む速さを含めた油圧加工機械の状態を把握し得るようになっている。すなわち、油圧加工機械検査用コンピュータプログラムは、コンピュータに、油圧加工機械の劣化の傾向を判断し得る情報を表示させることができる。
【００３９】
そして、例えば、油圧加工システムの操作者は、油圧加工機械の状態がメンテナンスを早急に行う必要がある状態にまで劣化する前に、油圧加工機械の状態がメンテナンスを近々行う必要のある状態であると判断し得る。仮に、油圧加工機械の状態が、メンテナンスを近々行う必要のある状態であると判断できる場合は、メンテナンスを早急に行う必要があるほど油圧加工機械が劣化していないときでもあると考えることができるため、油圧加工機械が故障する前に、メンテナンス担当者および操作者にとって適切な時にメンテナンスを行い得る。
【発明の効果】
【００４０】
本発明の油圧加工システムは、上記の構成をもつことにより、油圧加工機械の劣化の傾向を判断し得る情報を表示することができる。また、本発明の検査方法では、油圧加工機械の劣化の傾向を判断し得る。そして、本発明の油圧加工機械検査用コンピュータプログラムは、コンピュータに、油圧加工機械の劣化の傾向を判断し得る情報を表示させることができる。
【図面の簡単な説明】
【００４１】
【図１】第１の実施形態にかかる油圧加工システムの構成を示す油圧回路図である。
【図２】第１の実施形態にかかる油圧加工システムの構成を示すブロック図である。
【図３】第１の実施形態にかかる油圧加工機械検査用コンピュータプログラムのフローチャートである。
【図４】図３のステップＳ１００において油圧加工システム１の操作者が油圧加工機械１００をセンサ１７０で計測する時に第１の表示装置２３０に表示される表示画像の例である。
【図５】図３のステップＳ１６０において第１の表示装置２３０に表示される表示画像の例である。
【図６】第２の実施形態にかかる油圧加工システムの構成を示すブロック図である。
【発明を実施するための形態】
【００４２】
［第１の実施形態］
始めに、第１の実施形態にかかる油圧加工機械の検査方法について説明する。この油圧加工機械の検査方法は、後述する油圧加工機械検査用コンピュータプログラムにより機能されるコンピュータ２００（図１参照）を使用して、油圧加工システム１の構成要素である油圧加工機械１００を検査する方法である。
【００４３】
すなわち、コンピュータ２００には、図１に示すように、このコンピュータ２００が自在にアクセスすることができるストレージ２２０が接続されている。このストレージ２２０には、上記油圧加工機械の検査方法を実現させるための油圧加工機械検査用コンピュータプログラムが、コンピュータ読み取り可能に記録されている。この油圧加工機械検査用コンピュータプログラムは、コンピュータ２００を、上記油圧加工システム１（図２参照）における制御手段として機能させることで、油圧加工システム１の操作者（以下、単に「操作者」とも称する。）が油圧加工機械１００を前もって設定された複数の検査項目にて検査できる状態（以下、「検査可能状態」とも称する。）を実現させるものである。
【００４４】
＜＜Ａ−１．油圧加工システム１の構成について＞＞
次に、油圧加工システム１の構成について、図１および図２を用いて説明する。この油圧加工システム１は、図１に示すように、駆動オイルＯｉの油圧により加工材料を加圧する油圧加工を行う油圧加工機械１００と、油圧加工機械１００を制御するコンピュータ２００とを有している。以下では、先ず油圧加工機械１００の構成について説明する。なお、本実施形態において、付随的な構成については、その図示および詳細な説明を省略する。
【００４５】
＜Ａ−２．油圧加工機械１００の構成について＞
図１に示す様に、油圧加工機械１００は、後述する複動シリンダ１１０と、オイルタンク１２０と、ポンプ１３０と、フィルタ１４０と、方向切換弁Ｖｄと、逃がし弁Ｖｐと、流量制御弁Ｖｆと、を有している。これらの各構成の間は、駆動オイルＯｉの流路となる２本のオイル通路１５０によってつながれている。また、油圧加工機械１００には、後述するコンピュータ２００および複数のセンサ１７０が付設されている。
【００４６】
複動シリンダ１１０は、その一端および他端のそれぞれにオイル通路１５０が１本ずつ接続されて、これらのオイル通路１５０から流入される駆動オイルＯｉの油圧によりピストンロッド１１１を往復動させるものである。このピストンロッド１１１の一端には、図示しないスライドを介して、加工材料ＦＭ（具体的には例えばプレス絞り加工を施すべき金属ワーク）を加圧するためのパンチ金型Ｄ１が一体に取り付けられる。本実施形態では、パンチ金型Ｄ１は、駆動オイルＯｉの油圧によりピストンロッド１１１と一体に往復動されることで、前もってダイスＤ２にセットされた加工材料ＦＭに圧力をかける油圧加工を行う。すなわち、パンチ金型Ｄ１が取り付けられた複動シリンダ１１０は、本発明における「加圧部」に相当する。
【００４７】
なお、油圧加工機械１００は、所定の状態（例えば、ピストンロッド１１１のスライドが移動中で、かつ、操作者の身体の一部等がスライド周辺の所定の領域に侵入した状態）のときに、ピストンロッド１１１のスライドを急停止させる急停止機構（図示せず）をスライド周辺に備えているものとすることができる。また、この急停止機構はコンピュータ２００に接続されているものとすることができる。また、この急停止機構は、上記の所定の状態のときにピストンロッド１１１のスライドを急停止させるが、コンピュータ２００が急停止機構に急停止信号（図示せず）を出力した場合にも、急停止機構はピストンロッド１１１のスライドを急停止させるようにすることができる。
【００４８】
オイルタンク１２０は、駆動オイルＯｉを貯留しながらこの駆動オイルＯｉの温度を調節する機能を有する温調タンクである。また、オイルタンク１２０には、このオイルタンク１２０に貯留された駆動オイルＯｉのサンプリングを可能とするサンプリング装置１６０が付設されている。このサンプリング装置１６０は、電動ポンプ１６０Ａの吸い上げによりオイルタンク１２０の駆動オイルＯｉをサンプリングし、サンプリングした駆動オイルＯｉをオイルタンク１２０に戻すように構成されている。また、オイルタンク１２０は、上述した２本のオイル通路１５０が接続されて、これらのオイル通路１５０の一方に設けられたポンプ１３０により駆動オイルＯｉを吸い上げることができるように構成されている。ここで、以下においては、上記２本のオイル通路１５０のうち、ポンプ１３０が設けられているオイル通路１５０のことを「オイル通路１５０ａ」とも称し、ポンプ１３０が設けられてないオイル通路１５０のことを「オイル通路１５０ｂ」とも称する。また、２本のオイル通路１５０において、複動シリンダ１１０に接続される側のことを「上流側」とも称し、オイルタンク１２０に接続される側のことを「下流側」とも称する。なお、オイル通路１５０ａには、駆動オイルＯｉに混入した不純物をろ過するフィルタ１４０が設けられている。このフィルタ１４０は、オイル通路１５０ａにおいてポンプ１３０とオイルタンク１２０の間となる位置に設けられている。
【００４９】
ポンプ１３０は、モータの駆動力により駆動オイルＯｉを搬送する電動ポンプであり、オイルタンク１２０に貯蔵された駆動オイルＯｉを吸い上げて上流側に搬送する。また、ポンプ１３０には、駆動オイルＯｉの搬送に際してポンプ１３０から漏れ出した駆動オイルＯｉをオイルタンク１２０に戻すためのドレイン１５０ｃが設けられている。このドレイン１５０ｃは、いわゆる排油管として構成されている。なお、ポンプ１３０が搬送流体の漏れ出しのないポンプ（具体的には例えばギヤポンプ）である場合にはドレイン１５０ｃを設けなくともよい。
【００５０】
また、オイル通路１５０ａとオイル通路１５０ｂとの間には、方向切換弁Ｖｄおよび逃がし弁Ｖｐが架け渡された状態に設けられている。ここで、オイル通路１５０ａにおいては、逃がし弁Ｖｐはポンプ１３０よりも上流側となる位置に位置される。また、方向切換弁Ｖｄは、オイル通路１５０ａにおいて逃がし弁Ｖｐよりも上流側となる位置と、オイル通路１５０ｂにおいて逃がし弁Ｖｐよりも上流側となる位置と、の間に架け渡される。また、オイル通路１５０ａにおいて逃がし弁Ｖｐと方向切換弁Ｖｄとの間となる位置には、流量制御弁Ｖｆが設けられている。この流量制御弁Ｖｆは、その開度をコンピュータ２００からの制御信号２００Ｃに応じて変化させることで、オイル通路１５０ａにおける駆動オイルＯｉの流量を制御する。また、逃がし弁Ｖｐは、オイル通路１５０ａ内の駆動オイルＯｉの油圧が、コンピュータ２００からの制御信号２００Ｂによって設定された圧力よりも高いときのみオイル通路１５０ａ内の駆動オイルＯｉをオイル通路１５０ｂに流すことで、オイル通路１５０ａ内の油圧が上がりすぎないようにする。
【００５１】
また、方向切換弁Ｖｄは、コンピュータ２００からの制御信号２００Ａに応じて、流量制御弁Ｖｆを通って方向切換弁Ｖｄに搬送された駆動オイルＯｉを、遮断するか、複動シリンダ１１０の一端側に流すか、複動シリンダ１１０の他端側に流すかのいずれかに切り換える。ここで、駆動オイルＯｉが複動シリンダ１１０に流される場合は、同時に、この複動シリンダ１１０の中に入っていた駆動オイルＯｉが、２本のオイル通路１５０のうち駆動オイルＯｉが複動シリンダ１１０に流入される側とは反対側のオイル通路１５０を通ってオイルタンク１２０に流下される。
【００５２】
＜Ａ−３．センサ１７０について＞
図２に示す様に、油圧加工システム１は、後述するスライド位置センサＳｚと、温度計Ｔと、圧力計Ｐｓと、流量計Ｆｐｉｎと、流量計Ｆｐｏｕｔと、オイル差圧計ｄＰｆと、水分濃度センサＡと、微粒子数計測センサＣｄとをセンサ１７０として備えている。これらのセンサ１７０は、それぞれコンピュータ２００に接続されている。
【００５３】
スライド位置センサＳｚは、離れた場所にある物体の位置または移動速度を計測するために使用される位置センサであり、ピストンロッド１１１のスライド（図示せず）の位置１７０ａに対応する出力１７０Ａを出すように調整されている。圧力計Ｐｓは、オイル通路１５０において方向切換弁Ｖｄよりも上流側となる位置（図１参照）に設けられて、複動シリンダ１１０に流入される駆動オイルＯｉの圧力１７０ｂに対応する出力１７０Ｂを出す。また、流量計Ｆｐｉｎは、オイル通路１５０ａにおいてフィルタ１４０とポンプ１３０との間となる位置（図１参照）に設けられており、ポンプ１３０に流入する駆動オイルＯｉの流量１７０ｃに対応する出力１７０Ｃを出す。また、流量計Ｆｐｏｕｔは、オイル通路１５０ａにおいてポンプ１３０と逃がし弁Ｖｐとの間となる位置（図１参照）に設けられており、ポンプ１３０がオイル通路１５０ａの上流側に搬送する駆動オイルＯｉの流量１７０ｄに対応する出力１７０Ｄを出す。
【００５４】
オイル差圧計ｄＰｆは、フィルタ１４０（図１参照）に設けられて、このフィルタ１４０に流入する駆動オイルＯｉの圧力と、フィルタ１４０から流出する駆動オイルＯｉの圧力との差圧１７０ｅに対応する出力１７０Ｅを出す。なお、オイル差圧計ｄＰｆは、１つの差圧計であっても、フィルタ１４０に流入する駆動オイルＯｉの圧力に応じた出力を出す油圧計とフィルタ１４０から流出する駆動オイルＯｉの圧力に応じた出力を出す油圧計との２つの油圧計を組み合わせたアッセンブリであってもよい。
【００５５】
水分濃度センサＡは、サンプリング装置１６０に設けられて、このサンプリング装置１６０がサンプリングした駆動オイルＯｉの水分飽和度１７０ｇに対応する出力１７０Ｇを出す。また、微粒子数計測センサＣｄは、サンプリング装置１６０に設けられて、このサンプリング装置１６０がサンプリングした駆動オイルＯｉに混入した微粒子の粒径分布１７０ｆに対応する出力１７０Ｆを出す。また、温度計Ｔは、オイルタンク１２０内に設けられて、このオイルタンク１２０に貯留された駆動オイルＯｉの温度１７０ｈに対応する出力１７０Ｈを出す。ここで、温度計Ｔを設ける場所は、オイルタンク１２０内に限らず、複動シリンダ１１０またはポンプ１３０であってもよい。
【００５６】
＜Ａ−４．コンピュータ２００の構成＞
次に、コンピュータ２００の構成について説明する。図２に示す様に、コンピュータ２００は、処理装置２１０と、ストレージ２２０と、第１の表示装置２３０と、時計２４０とを備えている。処理装置２１０は、上述した油圧加工機械検査用コンピュータプログラムを実行することで、油圧加工システム１を制御する制御手段として機能する。すなわち、処理装置２１０は、図１に示すように、ポンプ１３０と、方向切換弁Ｖｄと、逃がし弁Ｖｐと、流量制御弁Ｖｆと、ポンプ１６０Ａとに接続されて、それぞれに制御信号２００Ｄ、２００Ａ、２００Ｂ、２００Ｃ、２００Ｅを出力することで、油圧加工機械１００の制御を実現させる。また、処理装置２１０は、スライド位置センサＳｚと、圧力計Ｐｓと、流量計Ｆｐｉｎと、流量計Ｆｐｏｕｔと、オイル差圧計ｄＰｆと、水分濃度センサＡと、微粒子数計測センサＣｄと、温度計Ｔとに接続されており、これらのセンサ１７０の出力を取得することができる。なお、コンピュータ２００の処理装置２１０とセンサ１７０との接続は、有線接続および無線接続のいずれであってもよい。
【００５７】
ストレージ２２０は、上述した様に、処理装置２１０が自在にアクセスすることができ、油圧加工機械検査用コンピュータプログラムをコンピュータ読み取り可能に記憶している。また、ストレージ２２０は、処理装置２１０からの出力を記憶できる。ストレージ２２０は、情報を記憶させるために、電源を供給しなくても記憶を保持できる記憶媒体（不図示）を備えている。この記憶媒体は、例えば、ＳＤ（登録商標）、ＣＦ  カード、メモリースティック（登録商標）、マルチメディアカード（Ｍｕｌｔｉ  Ｍｅｄｉａ  Ｃａｒｄ（登録商標））、などのメモリカード（Ｍｅｍｏｒｙ  ｃａｒｄ）、Ｆｌａｓｈ  ＲＯＭ（又はＦｌａｓｈ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）などの不揮発性メモリ（Ｎｏｎ−ｖｏｌａｔｉｌｅ  ｍｅｍｏｒｙ）、ＨＤＤ（Ｈａｒｄ  Ｄｉｓｋ  Ｄｒｉｖｅ）および円盤型磁性体ディスクなどの磁気ディスク、ＣＤ―Ｒ（Ｃｏｍｐａｃｔ  Ｄｉｓｋ  Ｒｅｃｏｒｄａｂｌｅ）、ＤＶＤ−Ｒ（ＤＶＤは登録商標）、Ｂｌｕ−ｒａｙ  Ｄｉｓｃ（登録商標）などの光ディスク、並びに、ＳＳＤ（Ｓｏｌｉｄ  ｓｔａｔｅ  ｄｒｉｖｅ）、ＭＯ（Ｍａｇｎｅｔｏ−ｏｐｔｉｃａｌ）ディスクなどの不揮発性記憶装置（Ｎｏｎ−ｖｏｌａｔｉｌｅ  ｓｔｏｒａｇｅ）、ＵＳＢメモリであってもよい。
【００５８】
第１の表示装置２３０は、処理装置２１０からの出力２１０Ａを表示する表示装置である。本実施形態では、第１の表示装置２３０は、タッチパネルとなっており、油圧加工システム１の操作者（図示せず）の指示２３０Ａを処理装置２１０に入力することができるように構成されている。また、時計２４０は、現在日時２４０Ａを処理装置２１０に出力する。コンピュータ２００は、以上に説明した構成を有し、処理装置２１０が油圧加工機械検査用コンピュータプログラムを実行することで、後述する検査項目表示処理を実行することができる。処理装置２１０が検査項目表示処理を実行すると、油圧加工システムの操作者が油圧加工機械１００を前もって設定された複数の検査項目にて検査できる状態を実現することができる。なお、本実施形態におけるストレージ２２０が本発明の「第１の記憶装置」に相当する。また、本実施形態では、第１の表示装置２３０をタッチパネルとしたが、第１の表示装置２３０を入力デバイスとしての機能を有さないモニターにし、操作者の指示２３０Ａを第１の表示装置２３０とは別の入力デバイスによりコンピュータ２００に入力するものとしてもよい。
【００５９】
＜Ｂ−１．油圧加工機械検査用コンピュータプログラム＞
続いて、上述した油圧加工機械の検査方法において実行される一連の各ステップについて、主に図３に示すフローチャートを用いて説明する。上記油圧加工機械の検査方法を実行する場合、まず、操作者（図示せず）は、油圧加工機械１００の暖機運転を行い、この油圧加工機械１００の状態を油圧加工に適した状態にする。続いて、操作者は、油圧加工機械１００の暖機運転が完了したと判断したときに、コンピュータ２００に油圧加工機械検査用コンピュータプログラムを実行させる。これに対し、コンピュータ２００の処理装置２１０（以下、単に「処理装置２１０」とも称する。）は、種々の初期設定（図示せず）を行った後に、その処理を図３に示すステップＳ１０に進める。なお、上記初期設定には、上記油圧加工機械検査用コンピュータプログラムを終了させるためのアイコン２３０Ｂ（図５参照）を第１の表示装置２３０に表示させる処理が含まれる。
【００６０】
ステップ１０に処理を進めた処理装置２１０は、後述するステップＳ２０からステップＳ１７０に至る一連の処理を繰り返し実行する。この一連の処理は、操作者が上記アイコン２３０Ｂに触れて上記油圧加工機械検査用コンピュータプログラムを終了させる指示２３０Ａ（図２参照）を入力するまでの間繰り返し実行される。なお、処理装置２１０は、上記油圧加工機械検査用コンピュータプログラムを終了させる指示２３０Ａが入力されると、ステップＳ１０の繰り返し処理をストップさせて上記油圧加工機械検査用コンピュータプログラムを終了させる。
【００６１】
ステップＳ２０において、処理装置２１０は、現在日時２４０Ａを時計２４０から取得する。そして、処理装置２１０は、その処理をステップＳ３０に進める。
【００６２】
ステップＳ３０において、処理装置２１０は、後述する現在日時の条件が成立するか否かを判定する。ここで、「現在日時の条件」は、「直近の所定の期間内においてコンピュータ２００が油圧加工システム１の制御手段として機能して検査可能状態を実現させたことを示す情報が、ストレージ２２０に記憶されていない」という条件である。ここで、上記「所定の期間」は、本発明における「時間間隔」に相当する。また、この所定の期間は、油圧加工機械１００が明らかに大きく変化し得る期間（例えば１年や、半年等）よりも短い期間（例えば、７日や、１か月等、１日から数か月の間）に適宜設定することができる。ステップＳ３０において、処理装置２１０は、直近に実行されたステップＳ２０で取得された現在日時２４０Ａを検索キーとして、ストレージ２２０に記憶されている情報を検索することで、現在日時の条件が成立しているか否かを判定する。そして、この判定の結果が「Ｎｏ」である（すなわち上述した検査可能状態が実現されたことを示す情報がストレージ２２０に記憶されていた）場合、処理装置２１０は、その処理をステップＳ１７０に進める。また、上記判定の結果が「Ｙｅｓ」である（すなわち上述した検査可能状態が実現されたことを示す情報がストレージ２２０に記憶されていない）場合、処理装置２１０は、その処理をステップＳ４０に進める。
【００６３】
ステップＳ１７０は、上記ステップ１０において繰り返される一連の処理の最後に実行される戻り処理である。すなわち、ステップＳ１７０において、処理装置２１０は、その処理をステップＳ２０に進める。
【００６４】
ステップＳ４０において、処理装置２１０は、上述した初期設定で設定された複数の検査項目に対して、後述するステップＳ５０からステップＳ１２０に至る一連の処理を１回ずつ行う繰り返し処理を実行する。なお、処理装置２１０は、ステップＳ４０の繰り返し処理において未処理の検査項目がなくなった場合、このステップＳ４０の繰り返し処理を終了させてその処理をステップＳ１３０に進める。本実施形態においては、上記検査項目は、ポンプ１３０の容積効率、フィルタ１４０の目詰率、駆動オイルＯｉにおける水分飽和度および微粒子汚染度（粒径分布）、ならびに、シリンダのオイルリーク量（複動シリンダ１１０における駆動オイルＯｉのリーク量）およびピストンロッド１１１のスライドの慣性下降値／急停止時間である。
【００６５】
ステップＳ５０において、処理装置２１０は、未処理の検査項目を１つ選択し、この検査項目を処理対象の検査項目として設定する処理を行う。そして、処理装置２１０は、その処理をステップＳ６０に進める。
【００６６】
ステップＳ６０において、処理装置２１０は、直前に実行されたステップＳ５０にて設定された処理対象の検査項目に対して、この処理対象の検査項目に関する事象の検出に適した油圧加工機械１００の駆動モードを設定する。この駆動モードは、前もってストレージ２２０に記憶されたデータに基づいて設定されるものであり、上述した初期設定において設定される検査項目により異なるモードが設定される。そして、処理装置２１０は、その処理をステップＳ７０に進める。
【００６７】
ステップＳ７０において、処理装置２１０は、直前に実行されたステップＳ６０にて設定された駆動モードで油圧加工機械１００を駆動させる駆動処理を実行する。この駆動処理は、処理装置２１０が、ポンプ１３０と、方向切換弁Ｖｄと、逃がし弁Ｖｐと、流量制御弁Ｖｆと、ポンプ１６０Ａのそれぞれに制御信号２００Ｄ、２００Ａ、２００Ｂ、２００Ｃ、２００Ｅを出力することで実現される。そして、処理装置２１０は、その処理をステップＳ８０に進める。
【００６８】
ステップＳ８０において、処理装置２１０は、直前に実行されたステップＳ７０にて出力された制御信号２００Ｄ、２００Ａ、２００Ｂ、２００Ｃ、２００Ｅに応じて油圧加工機械１００が上記駆動処理を行っている状態となるまで待機する。この待機の待機時間は、前もってストレージ２２０に記憶されたデータに基づいて設定される。そして、処理装置２１０は、その処理をステップＳ９０に進める。
【００６９】
ステップＳ９０において、処理装置２１０は、直近に実行されたステップＳ５０にて設定された処理対象の検査項目に対して、この処理対象の検査項目に関する事象の検出に適したセンサ１７０の出力を取得する。すなわち、例えば処理対象の検査項目として駆動オイルＯｉにおける水分飽和度１７０ｇが設定されている場合は、処理装置２１０は、複数のセンサ１７０のうち水分濃度センサＡの出力１７０Ｇと温度計Ｔの出力１７０Ｈとを取得する。そして、処理装置２１０は、その処理をステップＳ１００に進める。なお、処理対象の検査項目が、所定の駆動モードにある油圧加工機械１００に関する場合は（例えば、シリンダのオイルリーク量）、ステップＳ９０において、処理装置２１０は、油圧加工機械１００を上記所定の駆動モードに駆動させている状態でステップＳ８０の待機を行い、取得すべきセンサ１７０の出力を適切なタイミングで取得する。また、処理対象の検査項目によっては、処理装置２１０は、ステップＳ９０において、１種類に限らず２種類以上のセンサ１７０からの出力を取得するものとする。
【００７０】
また、ステップＳ９０において、処理装置２１０は、複数のセンサ１７０の出力を経時的に得て、得られた出力を用いて演算してもよい。例えば、ステップＳ９０において、処理装置２１０が、移動中のピストンロッド１１１のスライドの速度を算出する場合は、所定の時間内のピストンロッド１１１のスライドの移動位置を算出することを経時的に行い、ピストンロッド１１１のスライドの速度を演算により求めることができる。この場合、処理装置２１０が、スライド位置センサＳｚから出力されたピストンロッド１１１のスライドの位置１７０ａに対応する出力１７０Ａを取得すること（図２参照）と、時計２４０から出力された現在日時２４０Ａを取得すること（図２参照）を繰り返し、取得した出力を用いて演算し、ピストンロッド１１１のスライドの速度を算出する。
【００７１】
ステップＳ１００において、処理装置２１０は、直前に実行されたステップＳ９０にて取得したセンサ１７０の出力を、検査項目の検査に使用可能なデータである検査データに変換する変換処理を実行する。そして、処理装置２１０は、その処理をステップＳ１１０に進める。
【００７２】
ここで、上記変換処理における具体的な処理について、処理対象の検査項目としてポンプ１３０の容積効率が設定されている場合を例にして説明する。この場合、処理装置２１０は、直前に実行されたステップＳ９０にて取得した流量計Ｆｐｉｎの出力１７０Ｃから、ポンプ１３０に流入する駆動オイルＯｉの流量１７０ｃを導出する。続いて、処理装置２１０は、直前に実行されたステップＳ９０にて取得した流量計Ｆｐｏｕｔの出力１７０Ｄから、ポンプ１３０がオイル通路１５０ａの上流側に搬送する駆動オイルＯｉの流量１７０ｄを導出する。続いて、処理装置２１０は、導出された流量１７０ｄを同じく導出された流量１７０ｃで割った百分率を算出することで、ポンプ１３０の容積効率の検査データを得る。
【００７３】
なお、上記変換処理は、処理装置２１０が、処理済みの検査項目の検査データと実行中の変換処理の進捗とを第１の表示装置２３０に表示させる処理を含んでいてもよい。例えば、図４では、第１の表示装置２３０は、処理済みの検査項目の検査データとしてポンプ１３０の容積効率の検査データを表示している。また、第１の表示装置２３０は、実行中の変換処理の進捗を示す表示として、処理対象の検査項目（フィルタの目詰率）と、進捗状況（計測中）と、直前に取得したセンサ１７０の出力（オイル温度  ４０．２℃）とを表示している。この場合、操作者は、駆動処理が行われている状態の油圧加工機械１００をセンサ１７０で計測することになる。
【００７４】
ステップＳ１１０において、処理装置２１０は、直近に実行されたステップＳ９０にて取得したセンサ１７０の出力を、この出力が行われた出力日と対応付ける出力日対応付け処理を実行する。そして、処理装置２１０は、その処理をステップＳ１２０に進める。
【００７５】
なお、処理装置２１０は、直近に実行されたステップＳ２０にて取得した現在日時２４０Ａを参照することで、上記出力日を得る。この出力日は、駆動処理が行われている状態の油圧加工機械１００を操作者がセンサ１７０で計測している場合には、この計測が行われた計測日と同じ日となる。このとき、上記ステップＳ１１０の処理は、本発明における「計測日対応付け処理」に相当する。
【００７６】
ステップＳ１２０は、上記ステップＳ４０において繰り返される一連の処理の最後に実行される戻り処理である。すなわち、ステップＳ１２０において、処理装置２１０は、その処理をステップＳ５０に進める。
【００７７】
ステップＳ１３０において、処理装置２１０は、直前に実行されたステップＳ４０の繰り返し処理で得られた複数の検査データを１つにまとめたデータセットを作成する。そして、処理装置２１０は、その処理をステップＳ１４０に進める。
【００７８】
ここで、上記ステップＳ４０の繰り返し処理は１日以内に完了する処理であるので、上記データセットは、複数の検査データが同一の出力日（あるいは計測日）に対応付けられてまとめられたものとなる。すなわち、上記ステップＳ４０の繰り返し処理からステップＳ１３０に至る一連の処理は、本発明における「データセット作成処理」に相当する。
【００７９】
ステップＳ１４０において、処理装置２１０は、直前に実行されたステップＳ１３０にて作成したデータセットをストレージ２２０に記憶させる記憶処理を実行する。そして、処理装置２１０は、その処理をステップＳ１５０に進める。
【００８０】
なお、上記記憶処理は、データセット２２０Ａをストレージ２２０に出力する（図２参照）処理でもあるため、本発明における「第１の出力処理」に相当する。また、ストレージ２２０は、本発明における「第１の記憶装置」に相当する。
【００８１】
ステップＳ１５０において、処理装置２１０は、ストレージ２２０に記憶されているデータセット２２０Ａ（図２参照）の中から、出力日が所定の条件に合致する（具体的には例えば出力日が直近１か月以内である）データセット２２０Ａを検索して取得するデータセット取得処理を実行する。そして、処理装置２１０は、その処理をステップＳ１６０に進める。
【００８２】
ステップＳ１６０において、処理装置２１０は、直近に実行されたデータセット作成処理で作成されたデータセット、および、直近に実行されたデータセット取得処理で取得されたデータセットの両方を、第１の表示装置２３０に表形式（図５参照）で表示させる処理である表示処理を実行する。そして、処理装置２１０は、その処理を上述したステップＳ１７０に進める。また、ステップＳ４０における処理の繰り返しからステップＳ１６０に至るステップが、本発明における「検査項目表示処理」に相当する。このため、処理装置２１０は、本発明における検査項目表示処理を上述した所定の期間ごとに繰り返し実行することになる。
【００８３】
上記表示処理においては、処理装置２１０は、各データセットの各検査データが所定の基準範囲に含まれるか否かを判定し、この判定結果を示す付加情報が各データセットに付加された出力２１０Ａを第１の表示装置２３０に出力する。すなわち、上記表示処理は、本発明における「第２の出力処理」に相当する。なお、上記「所定の基準範囲」は、前もってストレージ２２０に記憶されたデータに基づいて、上述した初期設定において設定されるものである。
【００８４】
また、上記表示処理においては、第１の表示装置２３０は、各データセットを、これらのデータセットが対応する出力日の時間順に並んだ状態で表示する。なお、図５に記載されている「出力日お」「出力日え」「出力日う」「出力日い」「出力日あ」は、この順で出力日が古くなるものである。
【００８５】
また、上記表示処理においては、第１の表示装置２３０は、検査データが上記所定の基準範囲に含まれない旨の付加情報が付加されたデータセットを、検査データが上記所定の基準範囲に含まれる旨の付加情報が付加されたデータセットからの識別が可能な態様（例えば図５では枠付きの態様）で表示する。
【００８６】
ところで、ストレージ２２０には、油圧加工機械１００が完調状態（新品の状態または整備直後の状態の様に劣化がないと見做すことができる状態）にあるときに行われた油圧加工機械検査用コンピュータプログラムのテストランにおいて、このテストランのデータセット作成処理にて作成されたデータセットを基準データセットとして記憶させておくことができる。この場合、処理装置２１０は、上記表示処理において、ストレージ２２０から上記基準データセットを取得し、この基準データセットを第１の表示装置２３０に出力する第３の出力処理を実行する。なお、図５においては、上記基準データセットは、表中の「納品時」の欄に表示されている。
【００８７】
さて、上記表示処理が実行された状態の第１の表示装置２３０においては、直近に実行されたデータセット作成処理で作成されたデータセットと、このデータセットよりも前に作成されたデータセットとが、互いを対比できる状態で表示されている。これに対し、操作者は、第１の表示装置２３０に表示された各データセットを対比して油圧加工機械１００を検査する検査処理を実行する。
【００８８】
上述した油圧加工システム１の各構成および上述した各ステップによれば、処理装置２１０は、検査項目表示処理を実行することで、複数の検査項目それぞれについて、検査に使用可能な検査データを作成する。すなわち、処理装置２１０は、センサ検出処理でセンサ１７０が出力した計測値を得た後、変換処理でこの計測値を検査データに変換することで、検査データを得ることができる。そして、処理装置２１０は、複数の検査項目それぞれに関する検査データと、センサ１７０が計測値を出力した出力日とを含むデータセットを、データセット作成処理で得る。こうして得られたデータセットは、第１の出力処理でストレージ２２０（第１の記憶装置）に記憶されるため、日時が経つと、ストレージ２２０（第１の記憶装置）は過去のデータセットが記憶された状態になる。
【００８９】
そして、処理装置２１０は、データセット取得処理において、ストレージ２２０（第１の記憶装置）に記憶されている過去のデータセットのうち、所定の条件に合致するデータセットを取得する。この様に取得した過去のデータセットと、直近に作成されたデータセットとの両方を、第２の出力処理で表示装置に表示する。すなわち、第２の出力処理では、複数の検査項目のそれぞれについて、直近に得られた検査データと、過去に得られた検査データとが、それらの出力日と対応されたデータセットの形で第１の表示装置２３０により表示される。
【００９０】
ここで、センサ１７０の出力（センサ１７０にて計測した計測値）は、センサ検出処理において、駆動処理により所定の検査項目を検査するために前もって用意された駆動モードで駆動している状態の油圧加工機械１００に対しての出力（計測値）である。従って、同一の検査項目について作成された、直近および過去の検査データを、同一の駆動モードで油圧加工機械１００が駆動された状態における検査データとして、これらの検査データを比較するときに、駆動モードの違いによる検査データへの影響を考慮する必要性をなくすことができる。
【００９１】
さらに、一般的に、油圧加工機械１００の各部は次第に劣化し、この劣化が進む速さは、油圧加工機械１００の作業内容や部位の特性によって変化する。従って、油圧加工機械１００において、比較的急速に劣化が進む部位や、比較的緩やかに劣化が進む部位があると考えられ、劣化が進む速さは各部で一律ではないと考えることができる。上述した油圧加工システム１の各構成および上述した各ステップによれば、検査項目の数は、１つではなく、複数であるため、油圧加工システム１の操作者は、検査項目が１つの場合よりも多くの観点から油圧加工機械１００の状態を理解し得るだけでなく、複数の検査項目の相関関係を考慮したうえで油圧加工機械１００の状態を理解し得る。また、第２の出力処理では、直近に得られた検査データだけでなく、過去に得られた検査データをも第１の表示装置２３０に表示することで、油圧加工システム１の操作者が、劣化が進む速さを含めた油圧加工機械１００の状態を把握し得るようになっている。すなわち、油圧加工システム１は、油圧加工機械１００の劣化の傾向を判断し得る情報を表示することができる。
【００９２】
そして、例えば、油圧加工システム１の操作者は、油圧加工機械１００の状態がメンテナンスを早急に行う必要がある状態にまで劣化する前に、油圧加工機械１００の状態がメンテナンスを近々行う必要のある状態であると判断し得る。仮に、油圧加工機械１００の状態が、メンテナンスを近々行う必要のある状態であると判断できる場合は、メンテナンスを早急に行う必要があるほど油圧加工機械１００が劣化していないときでもあると考えることができるため、油圧加工機械１００が故障する前に、メンテナンス担当者および操作者にとって適切な時にメンテナンスを行い得る。
【００９３】
また、上述した各ステップによれば、第２の出力処理において、複数の検査項目のそれぞれについて、直近に得られた検査データと、過去に得られた検査データとが、それらの出力日と対応されたデータセットの形で表示される。ここで、データセットが対応する出力日の時間順に並んだ状態で表示されることにより、直近に得られた検査データと、過去に得られた検査データとが、データが得られた時間順に並んだ状態で表示される。その結果、油圧加工システム１の操作者は、検査データの経時変化の理解がより容易となり得る。
【００９４】
また、上述した各ステップによれば、検査データが加圧部（スライドを介してパンチ金型Ｄ１が取り付けられた複動シリンダ１１０）の状態に対応するデータ（上記、シリンダのオイルリーク量（複動シリンダ１１０における駆動オイルＯｉのリーク量）、およびピストンロッド１１１のスライドの慣性下降値／急停止時間）を含むことにより、第２の出力処理で、加圧部の状態に関する検査データが第１の表示装置２３０により表示されるため、油圧加工システム１の操作者は、加圧部の状態を把握し得る。
【００９５】
また、上述した各ステップによれば、検査データに駆動オイルＯｉの性状（水分飽和度および微粒子汚染度（粒径分布））に対応するデータを含むことにより、第２の出力処理で、駆動オイルＯｉの性状に関する検査データが第１の表示装置２３０により表示されるため、油圧加工システム１の操作者は、駆動オイルＯｉの性状を把握し得る。
【００９６】
また、上述した各ステップにおいて、油圧加工機械１００の状態が完調状態（新品の状態または整備直後の状態の様に劣化がないと見做すことができる状態）にあるときにおけるデータセットである基準データセットを表示させる場合には、基準データセットに含まれる検査データと、直近に得られた検査データとを比較することで、油圧加工システム１の劣化の度合いをより一層容易に把握し得る。
【００９７】
また、上述した各ステップによれば、検査項目表示処理を、所定の時間間隔毎に繰り返し実行することができるため、油圧加工機械１００の状態が大きく劣化した状態となる前に、検査項目表示処理をより確実に実行し得る。また、上記の時間間隔は、上述した様に、油圧加工機械１００が明らかに大きく変化し得る期間（例えば１年や、半年等）よりも短い時間間隔（例えば、７日や、１か月等、１日から数か月の間）に適宜設定できる。その結果、油圧加工システム１の操作者は、油圧加工機械１００の状態がメンテナンスを早急に行う必要がある状態にまで劣化する前に、油圧加工機械１００の状態がメンテナンスを近々行う必要のある状態か否かをより確実に判断し得る。
【００９８】
また、上述した油圧加工システム１の各構成によれば、第１の表示装置２３０は、各検査データを、これらの検査データが所定の基準範囲に含まれるか否かを識別可能な態様で表示する。このため、油圧加工システム１の操作者は、各検査データが所定の基準範囲に含まれるか否かを容易に識別し、油圧加工機械１００の状態をより容易に把握し得る。
【００９９】
また、上述した油圧加工機械の検査方法によれば、操作者が油圧加工機械１００の検査を行う際に、複数の検査項目それぞれについて、検査に使用可能な検査データを作成する。すなわち、駆動処理により検査項目を検査するための所定の駆動モードで駆動している状態の油圧加工機械１００をセンサ１７０で計測して、この計測結果を検査データに変換する変換処理で、検査データを作成する。そして、複数の検査項目それぞれに関する検査データと、センサ１７０の計測が行われた計測日とを含むデータセットを、データセット作成処理で作成する。また、上述した検査処理では、直近に作成されたデータセットと、過去に作成されたデータセットとを対比して、油圧加工機械１００を検査する。
【０１００】
ここで、検査項目を検査するために前もって用意された所定の駆動モードで駆動している状態の油圧加工機械１００をセンサ１７０で計測して、この検査結果を、検査データに変換する。従って、同一の検査項目において、直近および過去の検査データを、同一の駆動モードで油圧加工機械１００が駆動された状態における検査データとして、これらの検査データを比較するときに、駆動モードの違いによる検査データへの影響を考慮する必要性をなくすことができる。
【０１０１】
上述した油圧加工機械の検査方法においては、検査項目の数は、１つではなく、複数であるため、検査結果の閲覧者は、検査項目が１つの場合よりも多くの観点から油圧加工機械１００の状態を把握し得るだけでなく、複数の検査項目の相関関係を考慮したうえで油圧加工機械１００の状態を把握し得る。また、検査処理では、直近に作成されたデータセットと、過去に作成されたデータセットとを対比して、油圧加工機械１００を検査することで、検査結果の閲覧者が、劣化が進む速さを含めた油圧加工機械１００の状態を把握し得るようになっている。換言すれば、検査方法では、油圧加工機械１００の劣化の傾向を判断し得る。
【０１０２】
そして、例えば、油圧加工システム１の操作者は、油圧加工機械１００の状態がメンテナンスを早急に行う必要がある状態にまで劣化する前に、油圧加工機械１００の状態がメンテナンスを近々行う必要のある状態であると判断し得る。仮に、油圧加工機械１００の状態が、メンテナンスを近々行う必要のある状態であると判断できる場合は、メンテナンスを早急に行う必要があるほど油圧加工機械１００が劣化していないときでもあると考えることができるため、油圧加工機械１００が故障する前に、メンテナンス担当者および操作者にとって適切な時にメンテナンスを行い得る。
【０１０３】
また、上述した油圧加工機械検査用コンピュータプログラムによれば、コンピュータ２００に、油圧加工機械１００における複数の検査項目のそれぞれについてこれらの検査に使用可能な検査データを作成させることができる。すなわち、コンピュータ２００の処理装置２１０は、取得処理でセンサ１７０の出力を得た後、変換処理でこの出力を検査データに変換することで、検査データを得ることができる。そして、コンピュータ２００の処理装置２１０は、複数の検査項目それぞれに関する検査データと、センサ１７０が出力をした出力日とが対応付けられたデータセットを、データセット作成処理で得る。こうして得られたデータセットは、記憶処理でコンピュータ２００のストレージ２２０に記憶されるため、日時が経つと、過去のデータセットがコンピュータ２００に記憶された状態になる。
【０１０４】
そして、コンピュータ２００の処理装置２１０は、データセット取得処理において、コンピュータ２００が記憶している過去のデータセットのうち、所定の条件に合致するデータセットを取得する。コンピュータ２００は、この様に取得した過去のデータセットと、直近に作成されたデータセットとの両方を、表示処理で第１の表示装置２３０にて表示する。ここで、上記表示処理では、複数の検査項目のそれぞれについて、直近に得られた検査データと、過去に得られた検査データとを、それらの出力日と対応されたデータセットの形で第１の表示装置２３０にて表示する。
【０１０５】
ここで、コンピュータ２００の処理装置２１０は、駆動処理により、所定の検査項目を検査するために前もって用意された所定の駆動モードで油圧加工機械１００を駆動させて、この状態の油圧加工機械１００に対して、上記取得処理および上記変換処理を実行する。これにより、コンピュータ２００に油圧加工機械検査用コンピュータプログラムを実行させる操作者は、同一の検査項目について作成された、直近および過去の検査データを、同一の駆動モードで油圧加工機械１００が駆動された状態における検査データとして、これらの検査データを比較するときに、駆動モードの違いによる検査データへの影響を考慮する必要性をなくすことができる。
【０１０６】
上述した油圧加工機械検査用コンピュータプログラムによりコンピュータ２００が実行する各ステップによれば、検査項目の数は、１つではなく、複数であるため、油圧加工システム１の操作者は、検査項目が１つの場合よりも多くの観点から油圧加工機械１００の状態を理解し得るだけでなく、複数の検査項目の相関関係を考慮したうえで油圧加工機械１００の状態を理解し得る。また、表示処理では、直近に得られた検査データだけでなく、過去に得られた検査データをも表示装置にて表示することで、油圧加工システム１の操作者が、劣化が進む速さを含めた油圧加工機械１００の状態を把握し得るようになっている。すなわち、上述した油圧加工機械検査用コンピュータプログラムは、コンピュータに、油圧加工機械１００の劣化の傾向を判断し得る情報を表示させることができる。
【０１０７】
そして、例えば、油圧加工システム１の操作者は、油圧加工機械１００の状態がメンテナンスを早急に行う必要がある状態にまで劣化する前に、油圧加工機械１００の状態がメンテナンスを近々行う必要のある状態であると判断し得る。仮に、油圧加工機械１００の状態が、メンテナンスを近々行う必要のある状態であると判断できる場合は、メンテナンスを早急に行う必要があるほど油圧加工機械１００が劣化していないときでもあると考えることができるため、油圧加工機械１００が故障する前に、メンテナンス担当者および操作者にとって適切な時にメンテナンスを行い得る。
【０１０８】
［第２の実施形態］
続いて、第２の実施形態の油圧加工システム９１の構成について、図６を用いて説明する。本実施形態の油圧加工システム９１は、第１の実施形態の油圧加工システム１を変形した実施形態である。そこで、本実施形態において、第１の実施形態の油圧加工システム１の各構成と共通する構成については、第１の実施形態の油圧加工システム１の各構成に付した符号の左端に「９」または「８」のいずれかを追加した符号を付して対応させ、その詳細な説明を省略する。
【０１０９】
図６に示す様に、第２の実施形態の油圧加工システム９１は、２つの油圧加工機械８１００、９１００を備えている。これらの油圧加工機械８１００、９１００は、コンピュータ８２００、９２００およびセンサ群８１７０、９１７０が付設されることで、ユニット８０００、９０００を構成している。ここで、センサ群８１７０、９１７０は、第１の実施形態の油圧加工システム１における複数のセンサ１７０と同じ構成を１つのブロックで表したものであり、油圧加工機械８１００、９１００の状態８１００Ａ、９１００Ａに対応する出力８１７０Ａ、９１７０Ａをコンピュータ８２００、９２００の処理装置８２１０、９２１０に出力するものである。これらの処理装置８２１０、９２１０は、それぞれ、制御信号６２１０Ａ、７２１０Ａを油圧加工機械８１００、９１００に出力することで、油圧加工機械８１００、９１００の制御を行う。また、処理装置８２１０、９２１０は、それぞれコンピュータ・ネットワークＮＷに接続されている。そして、第２の実施形態の油圧加工システム９１は、データセットを記憶する第２の記憶装置３１０と、データセットを表示する第２の表示装置３２０とを有する情報管理装置３００を備えている。情報管理装置３００もコンピュータ・ネットワークＮＷに接続されている。
【０１１０】
各ユニット８０００、９０００の処理装置８２１０、９２１０は、上述した第１の実施形態にて説明した油圧加工機械検査用コンピュータプログラムを実行して作成したデータセットと、処理装置８２１０、９２１０が属するユニットの情報とを一緒にして、コンピュータ・ネットワークＮＷ経由で同一の情報管理装置３００に宛てて送信する。このユニットの情報は、上記データセットを送信した処理装置（処理装置８２１０または処理装置９２１０）がユニット８０００、９０００のいずれに属するかを識別する情報を含んでいる。従って、データセットとユニットの情報とを一緒に受け取った情報管理装置３００は、受け取ったデータセットがユニット８０００、９０００のいずれから送信されたかを識別できる。そして、情報管理装置３００は、受け取ったデータセットとユニットの情報とを一緒に第２の記憶装置３１０に記憶させる管理記憶処理を実行する。なお、本実施形態において、処理装置８２１０、９２１０から情報管理装置３００へのデータの送信は、処理装置８２１０、９２１０のそれぞれに１つずつ備えられた送受信装置６２１０Ｂ、７２１０Ｂによって実現される。
【０１１１】
さらに、情報管理装置３００は、第２の記憶装置３２０が記憶しているデータセットを第２の表示装置３１０に表示させる管理表示処理を行う。ここで、第２の記憶装置３２０は、データセットと、このデータセットを作成した処理装置２１０が属するユニットの情報とを一緒に記憶している。そこで、上記管理表示処理では、第２の表示装置３１０は、データセットと、このデータセットを作成した処理装置２１０が属するユニットの情報とを一緒に表示する。
【０１１２】
なお、情報管理装置３００は、第２の記憶装置３１０が記憶しているデータセットと、データセットを作成した処理装置２１０が属するユニットの情報とを、コンピュータ・ネットワークＮＷに接続された他のコンピュータ（図示せず）に宛てて送信してもよい。これにより、このデータセットとユニットの情報とを受け取った他のコンピュータも、油圧加工システム９１の油圧加工機械８１００、９１００の状態を把握することができる。そして、例えば、上記他のコンピュータが、油圧加工システム９１のメンテナンス会社のコンピュータである場合は、このメンテナンス会社でも、油圧加工システム９１の油圧加工機械８１００、９１００の状態を把握することができる。
【０１１３】
上述した油圧加工システム９１の各構成によれば、データセットは、管理記憶処理により第２の記憶装置３２０に記憶される。また、データセットは、第１の表示装置８２３０、９２３０だけでなく、管理表示処理により第２の表示装置３１０に表示される。このため、油圧加工機械８１００、９１００の各操作者だけでなく、情報管理装置３００の操作者も、油圧加工機械８１００、９１００の状態がメンテナンスを近々行う必要のある状態か否かを判断し得る。その結果、この判断がより正確になり得る。
【０１１４】
また、上述した油圧加工システム９１の各構成によれば、情報管理装置３００は、複数のユニット８０００、９０００それぞれの油圧加工機械８１００、９１００について、一括して状態を把握することができる。従って、情報管理装置３００の操作者は、複数の油圧加工機械８１００、９１００の状態をより容易に把握できる。さらに、複数の油圧加工機械８１００、９１００の検査データを比較することで、油圧加工機械８１００、９１００それぞれの状態を把握することができ、それぞれの油圧加工機械８１００、９１００にメンテナンスを近々行う必要があるか否かをより確実に判断し得る。
【０１１５】
本発明は、上述した第１および第２の実施形態で説明した構成に限定されず、本発明の要旨を変更しない範囲で種々の変更、追加、削除が可能である。例えば、以下のような各種の形態を実施することができる。
【０１１６】
（１）上述した第１の実施形態の油圧加工機械１００において、複動シリンダ１１０に接続されるオイル通路１５０に設けられるポンプ１３０を、駆動オイルＯｉを搬送する向きの切り替えが可能な正逆回転ポンプにした変形例を採用することができる。この場合、正逆回転ポンプによる駆動オイルＯｉの搬送の向きを切り替えて複動シリンダ１１０を動作させることで、油圧加工機械１００の方向切換弁Ｖｄを不要のものとすることができる。
【０１１７】
（２）上述した第１の実施形態では、油圧加工機械１００は複動シリンダ１１０を１つだけ備えるものであったが、油圧加工機械の構成は上記構成に限定されない。例えば、油圧加工機械の複動シリンダを、単動シリンダなどの別種のシリンダにした変形例を採用することができる。また、油圧加工機械が備えるシリンダの数は２つ以上であってもよい。この場合、シリンダに関する検査項目である、シリンダのオイルリーク量（複動シリンダ１１０における駆動オイルＯｉのリーク量）、およびピストンロッド１１１のスライドの慣性下降値／急停止時間は、シリンダ毎に検査データを表示する。また、同様に、油圧加工機械においてシリンダに駆動オイルＯｉを搬送するポンプの数は２つ以上であってもよい。この場合、複数のポンプのそれぞれについて、ポンプ１３０に関する検査項目である、ポンプの容積効率の検査データを計測する。この様に、油圧加工機械が有する部材に応じて、適宜センサと、検査項目を増やしても良い。
【０１１８】
（３）上述した第１の実施形態では、センサ１７０として、スライド位置センサＳｚと、温度計Ｔと、圧力計Ｐｓと、流量計Ｆｐｉｎと、流量計Ｆｐｏｕｔと、オイル差圧計ｄＰｆと、水分濃度センサＡと、微粒子数計測センサＣｄとの８つのセンサを例として示したが、センサの数や種類は、これに限定しなくてもよく、油圧加工機械を計測できるセンサであればよい。
【０１１９】
（４）上述した第１の実施形態の表示処理（図３のステップＳ１６０、図５参照）では、直近に作成されたデータセット、および、直近に実行されたデータセット取得処理で取得された過去のデータセットの両方を、データセットが対応する出力日の時間順に並んだ状態を表形式で表示（図５参照）させるが、表示の形式は表形式に限定しなくてもよい。例えば、縦軸に検査データの値をとり、横軸に直近に作成されたデータセットに対応する日から経過した日数をとるグラフ形式で表示してもよい。この様にグラフ形式で表示することで、油圧加工システム１の操作者の検査データの経時変化の理解が、より容易となり得る。さらには、操作者が、上述の表形式とグラフ形式とを切り換え可能な態様としてもよい。表形式とグラフ形式とを切り換え可能な態様とする場合、例えば、表形式の表示とグラフ形式の表示とを切り換えるアイコンを第１の表示装置２３０に適宜表示させ、操作者がこのアイコンを触れることで表示を表形式にするかグラフ形式にするかを切り換える態様にしてもよい。また、グラフ形示としては、１つの検査項目についての検査データを１つのグラフに示す態様であっても、複数の検査項目についての検査データをまとめて１つのグラフに示す態様であってもよい。
【０１２０】
（５）上述した第１の実施形態では、図３に示すステップＳ３０により、検査項目表示処理（ステップＳ４０における処理の繰り返しからステップＳ１６０に至るステップ）を所定の時間間隔（例えば、７日や、１か月等、１日から数か月の間）毎に繰り返し実行するが、これに限らず、操作者が検査項目表示処理を開始する旨の指示をコンピュータ２００に入力したら検査項目表示処理を開始する態様を加えてもよい。例えば、検査項目表示処理を実行する旨のアイコンを第１の表示装置２３０に適宜表示させ、操作者がこのアイコンに触れると検査項目表示処理を実行する態様を加えてもよい。また、直近に作成されたデータセットの検査データが所定の条件を満たすときに、上記の時間間隔を変更する態様を加えてもよい。
【０１２１】
（６）上述した第２の実施形態の油圧加工システム９１において、油圧加工機械にコンピュータおよびセンサ群を付設したユニットの数を、１つあるいは３つ以上の任意の数に変更した変形例を採用することができる。
【符号の説明】
【０１２２】
１  油圧加工システム
１００  油圧加工機械
１１０  複動シリンダ
１１１  ピストンロッド
１２０  オイルタンク
１３０  ポンプ
１４０  フィルタ
１５０  オイル通路
１５０ｃ  ドレイン
１６０  サンプリング装置
１６０Ａ  電動ポンプ
１６０Ａ  ポンプ
Ｖｄ  方向切換弁
Ｖｆ  流量制御弁
Ｖｐ  逃がし弁
Ｄ１  パンチ金型
Ｄ２  ダイス
ＦＭ  加工材料
Ｏｉ  駆動オイル
１７０  センサ
Ａ  水分濃度センサ
Ｃｄ  微粒子数計測センサ
ｄＰｆ  オイル差圧計
Ｆｐｉｎ  流量計
Ｆｐｏｕｔ  流量計
Ｐｓ  圧力計
Ｓｚ  スライド位置センサ
Ｔ  温度計
２００  コンピュータ
２１０  処理装置
２２０  ストレージ
２３０  第１の表示装置
２４０  時計
３００  情報管理装置
３１０  記憶装置
３２０  表示装置
８０００、９０００  ユニット
８１００、９１００  油圧加工機械
８１７０、９１７０  センサ群
８２００、９２００  コンピュータ
８２１０、９２１０  処理装置
８２２０、９２２０  ストレージ
８２３０、９２３０  表示装置
８２４０、９２４０  時計
８１００Ａ、９１００Ａ  状態
８１７０Ａ、９１７０Ａ  出力
ＮＷ  コンピュータ・ネットワーク
【図１】
2019107690.tif 000003
【図２】
2019107690.tif 000004
【図３】
2019107690.tif 000005
【図４】
2019107690.tif 000006
【図５】
2019107690.tif 000007
【図６】
2019107690.tif 000008